(57)【要約】【課題】簡便な構造で製品品目を判別可能なユニバーサルジョイント用シールを提供する。【解決手段】ユニバーサルジョイントにおけるカップ２１の内周面に嵌合される金属環２と、金属環２に保持され、ユニバーサルジョイントにおける十字軸２２に摺動可能に接触するシールリップ３とを備えるユニバーサルジョイント用シール１であって、金属環２に、シール外部から目視可能な位置に設けられた段差形状よりなる品目表示部２ｃを設けたことを特徴とする。【選択図】図１
0003217649.tif 000002
【実用新案登録請求の範囲】
【請求項１】
ユニバーサルジョイントにおけるカップの内周面に嵌合される金属環と、前記金属環に保持され、前記ユニバーサルジョイントにおける十字軸に摺動可能に接触するシールリップとを備えるユニバーサルジョイント用シールであって、
前記金属環は、品目表示部を備え、
前記品目表示部は、シール外部から目視可能な位置に設けられた段差形状よりなることを特徴とするユニバーサルジョイント用シール。
【請求項２】
請求項１記載のユニバーサルジョイント用シールにおいて、
前記金属環は、筒状部およびフランジ部を一体に備えて断面Ｌ字形とされ、
前記筒状部および前記フランジ部の間の角部に前記品目表示部が設けられていることを特徴とするユニバーサルジョイント用シール。
【請求項３】
請求項２記載のユニバーサルジョイント用シールにおいて、
前記品目表示部は、前記筒状部および前記フランジ部を繋ぐ断面円弧形の段差形状として設けられていることを特徴とするユニバーサルジョイント用シール。
【請求項４】
請求項２記載のユニバーサルジョイント用シールにおいて、
前記品目表示部は、前記筒状部および前記フランジ部を繋ぐ断面直線形のテーパー状の段差形状として設けられていることを特徴とするユニバーサルジョイント用シール。
【考案の詳細な説明】
【技術分野】
【０００１】
本考案は、密封装置の一種であるユニバーサルジョイント用シールに関する。本考案のユニバーサルジョイント用シールは例えば、自動車関連の分野で用いられ、または産業機械の分野などで用いられる。
【背景技術】
【０００２】
従来から図４に示すユニバーサルジョイント用シール１が知られている。
すなわちこのユニバーサルジョイント用シール１は、ユニバーサルジョイントにおけるカップ２１の内周面に嵌合される金属環２と、この金属環２に保持され、ユニバーサルジョイントにおける十字軸２２に摺動可能に接触するシールリップ３とを備えている。金属環２は、筒状部２ａおよびフランジ部２ｂを一体に備えて断面Ｌ字形に形成されている。一方、シールリップ３は、金属環２の内周側に接着されたゴム状弾性体よりなり、ジョイント外部Ａの異物がジョイント内部Ｂのベアリング２３のほうへ侵入しないようリップ先端をジョイント外部Ａ側へ向けている。
【先行技術文献】
【特許文献】
【０００３】
【特許文献１】特開２００５−３５１３８２号公報
【考案の概要】
【考案が解決しようとする課題】
【０００４】
上記ユニバーサルジョイント用シール１においては、その製品サイズが小さいことから、例えばゴム材料違い等による製品品目の相違をシール１の外観から判別するのが難しいという問題がある。通常のオイルシールであれば刻印による判別も可能であるが、ユニバーサルジョイント用シール１では製品サイズがきわめて小さいため、刻印を表示するスペースを確保するのが難しい。また、仮に刻印を表示できたとしても、製品の組付け工程などで目視で確認することは困難である。また、識別用にペイントを塗布する案もあるが、部品コストの上昇が懸念される。
【０００５】
本考案は以上の点に鑑みて、簡便な構造で製品品目を判別可能なユニバーサルジョイント用シールを提供することを課題とする。
【課題を解決するための手段】
【０００６】
上記課題を解決するため、本考案のユニバーサルジョイント用シールは、ユニバーサルジョイントにおけるカップの内周面に嵌合される金属環と、前記金属環に保持され、前記ユニバーサルジョイントにおける十字軸に摺動可能に接触するシールリップとを備えるユニバーサルジョイント用シールであって、前記金属環は、品目表示部を備え、前記品目表示部は、シール外部から目視可能な位置に設けられた段差形状よりなることを特徴とする。
【０００７】
また、実施の態様として、上記記載のユニバーサルジョイント用シールにおいて、前記金属環は、筒状部およびフランジ部を一体に備えて断面Ｌ字形とされ、前記筒状部および前記フランジ部の間の角部に前記品目表示部が設けられていることを特徴とする。
【０００８】
また、実施の態様として、上記記載のユニバーサルジョイント用シールにおいて、前記品目表示部は、前記筒状部および前記フランジ部を繋ぐ断面円弧形の段差形状として設けられていることを特徴とする。
【０００９】
また、実施の態様として、上記記載のユニバーサルジョイント用シールにおいて、前記品目表示部は、前記筒状部および前記フランジ部を繋ぐ断面直線形のテーパー状の段差形状として設けられていることを特徴とする。
【考案の効果】
【００１０】
本考案では、金属環およびシールリップを備えるユニバーサルジョイント用シールにおいて金属環に段差形状よりなる品目表示部が設けられているため、この品目表示部をシール外部から目視で確認することにより、当該シールを品目表示部を備えていない他品目のシールまたは異なる段差形状よりなる品目表示部を備える他品目のシールと判別することが可能とされる。したがって製品サイズが小さくて刻印を表示することが困難な場合や、コスト増大を懸念して識別用ペイントを塗布することが困難な場合であっても、簡便な構造で製品品目を判別可能なユニバーサルジョイント用シールを提供することができる。
【００１１】
また、金属環が筒状部およびフランジ部を一体に備えて断面Ｌ字形とされ、これら筒状部およびフランジ部の間の角部に品目表示部が設けられていることにより、以下の作用効果が発揮される。
【００１２】
すなわち当該構成によると、シールリップを接着保持するフランジ部の内周側端部が品目表示部よりもジョイント外部側に配置されないため、シールリップを設計する空間をフランジ部の内周側端部のジョイント外部側に十分に確保することが可能とされる。したがって従来対比でシールリップの設計の自由度を維持したままで、シールに品目判別機能を付加することが可能とされる。
【図面の簡単な説明】
【００１３】
【図１】本考案の実施の形態に係るユニバーサルジョイント用シールの装着状態を示す要部断面図
【図２】同シールの単品状態を示す要部断面図
【図３】品目表示部の他の例を示す要部断面図
【図４】従来例に係るユニバーサルジョイント用シールの装着状態を示す要部断面図
【考案を実施するための形態】
【００１４】
図１および図２に示すように、ユニバーサルジョイント用シール１は、ユニバーサルジョイントにおけるカップ（ベアリングカップ）２１の先端部内周面に嵌合される金属環２と、この金属環２に保持されるとともにユニバーサルジョイントにおける十字軸２２の外面に摺動可能に接触するシールリップ３とを備えている。
【００１５】
金属環２は、筒状部２ａおよび径方向内向きのフランジ部２ｂを一体に備えて断面Ｌ字形（半裁断面Ｌ字形）に形成され、筒状部２ａの外周面をもってカップ２１の内周面に嵌合されている。
【００１６】
シールリップ３は、金属環２の内周側であって筒状部２ａの内周面およびフランジ部２ｂの端面に接着（架橋接着）されたゴム状弾性体によって形成され、ジョイント外部Ａの異物がジョイント内部Ｂのベアリング２３のほうへ侵入しないようにリップ先端をジョイント外部Ａのほうへ向けている。シールリップ３は複数のシールリップ３が並んで設けられている。
【００１７】
また加えて、このユニバーサルジョイント用シール１では、金属環２に、このユニバーサルジョイント用シール１がどのような品目であるかを表示するための品目表示部２ｃが設けられている。
【００１８】
品目表示部２ｃは、その機能からして、シール１の外部から目視可能（視認可能）な位置に設けられ、具体的には、金属環２が上記したように筒状部２ａおよびフランジ部２ｂを一体に備えて断面Ｌ字形に形成されているので、視認可能な角度範囲をできるだけ広く設定できるよう、これら筒状部２ａおよびフランジ部２ｂの間の角部に設けられている。
【００１９】
品目表示部２ｃは、段差形状よりなるものとされている。段差形状は立体形状の一種であるので、金属環２は筒状部２ａおよびフランジ部２ｂ以外の第３の立体形状を備えることになる。
【００２０】
段差形状は、具体的には、金属環２の筒状部２ａおよびフランジ部２ｂを繋ぐ内側へ向けて凸の断面円弧形の段差形状とされている。したがってこの段差形状では、ゴム状弾性体を接着するその内面２ｄについても内側へ向けて凸の断面円弧形に形成されている。
【００２１】
品目表示部２ｃは、金属環２の全周に亙って設けられ、すなわち品目表示部２ｃは環状に設けられている。
【００２２】
また、品目表示部２ｃは、金属環２を板状素材からプレス加工するときにこのプレス加工の一環として形成されている。
【００２３】
上記構成を備えるユニバーサルジョイント用シール１においては、金属環２およびシールリップ３を備えるユニバーサルジョイント用シール１において金属環２に段差形状よりなる品目表示部２ｃが設けられているため、この品目表示部２ｃをシール１外部から目視で確認することにより、当該シール１を品目表示部を備えていない他品目のシールまたは異なる段差形状よりなる品目表示部を備える他品目のシールと判別することが可能とされている。したがって製品サイズが小さくて刻印を表示することが困難な場合や、コスト増大を懸念して識別用ペイントを塗布することが困難な場合であっても、簡便な構造で製品品目を判別可能なユニバーサルジョイント用シール１を提供することができる。
【００２４】
また、金属環２が筒状部２ａおよびフランジ部２ｂを一体に備えて断面Ｌ字形とされるとともに、これら筒状部２ａおよびフランジ部２ｂの間の角部であって筒状部２ａおよびフランジ部２ｂを繋ぐ位置に品目表示部２ｃが設けられているため、以下の作用効果が発揮される。
【００２５】
すなわち当該構成によると、シールリップ３を接着保持するフランジ部２ｂの内周側端部が品目表示部２ｃよりもジョイント外部Ａ側に配置されないため、シールリップ３を設計する空間をフランジ部２ｂの内周側端部のジョイント外部Ａ側に十分に確保することが可能とされる。したがって従来対比でシールリップ３の設計の自由度を維持したままで、シール１に品目表示部２ｃによる品目判別機能を付加することが可能とされる。
【００２６】
尚、品目表示部２ｃを構成する段差形状としては、様々な形状とすることが考えられる。
【００２７】
その一例を挙げると、図３の例では、段差形状が、金属環２の筒状部２ａおよびフランジ部２ｂを繋ぐ断面直線形のテーパー状の段差形状とされている。したがってこの段差形状では、ゴム状弾性体を接着するその段差内面２ｄについても同様に断面直線形のテーパー状に形成されている。
【符号の説明】
【００２８】
１  ユニバーサルジョイント用シール
２  金属環
２ａ  筒状部
２ｂ  フランジ部
２ｃ  品目表示部
２ｄ  内面
３  シールリップ
２１  カップ
２２  十字軸
２３  ベアリング
Ａ  ジョイント外部
Ｂ  ジョイント内部
【図１】
0003217649.tif 000003
【図２】
0003217649.tif 000004
【図３】
0003217649.tif 000005
【図４】
0003217649.tif 000006